(57)【要約】      （修正有）【課題】電子機器が搭載するタッチパネルへの遠隔操作入力を実現するアタッチメントを提供する。【解決手段】アタッチメント２は、２本の略筒状体が左右一体に連結された構造体であって、前端にスマートフォン１５００を装着・保持する開閉式の保持部４を備え、後端に左右の接眼部を備える。ユーザは、スマートフォン１５００のタッチパネルを接眼部の方に向けた姿勢で保持部４の内側に装着して閉じる。ユーザは、アタッチメント２を、双眼鏡を使うようにして接眼部を両目に当てて中を覗くと、３次元立体映像を楽しむことができる。スマートフォン１５００は、アタッチメント２の内部に収容された格好になるので、そのままでは外部からタッチパネルへの操作入力ができないが、アタッチメント２は、当該アタッチメントを把持する手指を用いて外部からタッチパネルへの遠隔操作入力を可能にするリモートタッチ回路を搭載する。【選択図】図１
0003176588.tif 000002
【実用新案登録請求の範囲】
【請求項１】
静電容量方式のタッチパネル上に設定される仮想ボタン位置に当接する導電部と、
一端部が前記導電部に接続された電線と、
前記電線の他端部にインピーダンス付与体を接触可能に構成されたボタン部と、
を備えたリモートタッチ回路。
【請求項２】
前記ボタン部は、ユーザを前記インピーダンス付与体として当該ユーザの手指が接触可能な導電性部材でなる、
請求項１に記載のリモートタッチ回路。
【請求項３】
前記インピーダンス付与体は所与の容量素子でなり、
前記ボタン部は、押圧により前記インピーダンス付与体を前記他端部に電気的に接触／開放可能に有して構成されてなる、
請求項１に記載のリモートタッチ回路。
【請求項４】
静電容量方式のタッチパネルを備えた携帯型の電子機器のアタッチメントであって、
請求項１〜３の何れか一項に記載のリモートタッチ回路と、
前記タッチパネル上に設定される仮想ボタン位置に前記導電部を当接させるために前記電子機器を所定位置に保持する保持部と、
ユーザが前記アタッチメントを把持するための把持部と、
を備え、前記ボタン部が、前記把持部を把持したユーザの手指によって操作可能な位置に設けられてなるアタッチメント。
【請求項５】
前記把持部は少なくとも外層が非導電性部材でなる、
請求項４に記載のアタッチメント。
【請求項６】
前記保持部によって前記所定位置に保持された前記タッチパネルへの前記導電部の当接位置を調節する位置調節機構を備えた請求項４又は５に記載のアタッチメント。
【請求項７】
前記保持部は、前記仮想ボタン位置が前記導電部の当接位置に来るように前記保持部による前記タッチパネルの保持位置を調節する位置調節機構を備えた請求項４又は５に記載のアタッチメント。
【請求項８】
前記リモートタッチ回路及び前記把持部を有するアタッチメント本体と、
前記アタッチメント本体に対して、前記保持部を、前記電子機器の着脱位置と使用位置とに遷移可能に支持するヒンジ部と、
を更に備え、前記着脱位置では前記タッチパネルと前記導電部とが離隔し、前記使用位置では前記タッチパネルと前記導電部とが当接する、
請求項４〜７の何れか一項に記載のアタッチメント。
【請求項９】
前記アタッチメントは、前記タッチパネルに左目用画像及び右目用画像を表示した際のステレオスコープ用品である、
請求項４〜８の何れか一項に記載のアタッチメント。
【請求項１０】
前記導電部は、前記タッチパネルに表示される前記左目用画像及び前記右目用画像の間隙部分に当接する位置に設けられてなる、
請求項９に記載のアタッチメント。
【考案の詳細な説明】
【技術分野】
【０００１】
本考案は、静電容量方式のタッチパネルに対して離れたところからの操作を実現するリモートタッチ回路等に関する。
【背景技術】
【０００２】
近年、入力デバイスとしてタッチパネルを搭載したスマートフォンや、タブレット型コンピュータ等が広く普及するようになった。
タッチパネルを搭載した電子機器等は、ユーザが手指等で触れることで直感的な操作入力ができるので人気である。一方で、タッチパネルについては、パネル面が平滑なために操作するべき場所が分かり難く、また従来のボタンスイッチやキーボードのような操作感が得られないなどのデメリットがよく知られるところである。このタッチパネルに対して、例えば特許文献１に、入力操作性や操作感を向上するための入力補助具が記載されている。
【先行技術文献】
【特許文献】
【０００３】
【特許文献１】特開２０１０−７３０７１号公報
【考案の概要】
【考案が解決しようとする課題】
【０００４】
しかしながら、従来の入力補助具は、結局のところタッチパネルへタッチ操作することに変わりはなく、遠隔操作ができるものではなかった。
本考案は、電子機器が搭載するタッチパネルへの遠隔操作入力を実現することを目的とする。
【課題を解決するための手段】
【０００５】
上述した課題を解決するための第１の形態は、静電容量方式のタッチパネル上に設定される仮想ボタン位置に当接する導電部と、
一端部が前記導電部に接続された電線と、
前記電線の他端部にインピーダンス付与体を接触可能に構成されたボタン部と、
を備えたリモートタッチ回路である。
【０００６】
第１の形態によれば、タッチパネルにユーザが直接触れなくとも、遠隔位置からタッチ操作をすることができる。
【０００７】
このとき、ユーザを前記インピーダンス付与体とし、前記ボタン部が当該ユーザの手指が接触可能な導電性部材でなる、第１の形態のリモートタッチ回路を構成することができる（第２の形態）。
【０００８】
あるいは、前記インピーダンス付与体は所与の容量素子でなり、前記ボタン部が、押圧により前記インピーダンス付与体を前記他端部に電気的に接触／開放可能に有して構成されてなる、第１の形態のリモートタッチ回路を構成することもできる（第３の形態）。
【０００９】
また、第４の形態として、静電容量方式のタッチパネルを備えた携帯型の電子機器のアタッチメントであって、第１〜第３の何れかの形態のリモートタッチ回路と、前記タッチパネル上に設定される仮想ボタン位置に前記導電部を当接させるために前記電子機器を所定位置に保持する保持部と、ユーザが前記アタッチメントを把持するための把持部と、を備え、前記ボタン部が、前記把持部を把持したユーザの手指によって操作可能な位置に設けられてなるアタッチメントを構成することができる。
【００１０】
第４の形態によれば、電子機器を装着すると、第１〜第３の形態の何れかと同様の効果が得られるアタッチメントを実現できる。
【００１１】
第５の形態は、前記把持部が少なくとも外層が非導電性部材でなる、第４の形態のアタッチメントである。
【００１２】
第５の形態によれば、第４の形態と同様の効果が得られるとともに、外装への静電気の帯電を防止し、リモートタッチ回路の誤動作を防ぐことができる。
【００１３】
第６の形態は、前記保持部によって前記所定位置に保持された前記タッチパネルへの前記導電部の当接位置を調節する位置調節機構を備えた第４又は第５の形態のアタッチメントである。
【００１４】
また、第７の形態は、前記保持部は、前記仮想ボタン位置が前記導電部の当接位置に来るように前記保持部による前記タッチパネルの保持位置を調節する位置調節機構を備えた第４又は第５の形態のアタッチメントである。
【００１５】
第６又は第７の形態によれば、電子機器のサイズ違いや仮想ボタン位置の違いに対応できる。
【００１６】
第８の形態は、前記リモートタッチ回路及び前記把持部を有するアタッチメント本体と、
前記アタッチメント本体に対して、前記保持部を、前記電子機器の着脱位置と使用位置とに遷移可能に支持するヒンジ部と、を更に備え、前記着脱位置では前記タッチパネルと前記導電部とが離隔し、前記使用位置では前記タッチパネルと前記導電部とが当接する、第４〜第７の何れかの形態のアタッチメントである。
【００１７】
第８の形態によれば、電子機器の着脱が容易となるとともに、電子機器を内蔵する構成も可能となる。
【００１８】
アタッチメントの用品形態は適宜設定可能であり、例えば、前記アタッチメントが、前記タッチパネルに左目用画像及び右目用画像を表示した際のステレオスコープ用品である、
第４〜第８の何れかの形態のアタッチメントを構成することができる（第９の形態）。
【００１９】
導電部の設置位置についても適宜設定可能であるが、例えば、前記導電部が、前記タッチパネルに表示される前記左目用画像及び前記右目用画像の間隙部分に当接する位置に設けられてなる、第９の形態のアタッチメントを構成することができる（第１０の形態）。
【図面の簡単な説明】
【００２０】
【図１】第１実施形態におけるアタッチメントを前方斜め上から見た斜視外観図
【図２】スマートフォンの構成例を示す正面外観図。
【図３】３次元立体視映像の表示画面例を示す図。
【図４】第１実施形態におけるアタッチメントの構成例を示す正面図であって、（１）保持部を閉じた状態、（２）保持部を開いた状態、を示す図。
【図５】第１実施形態におけるアタッチメントの構成例を示す側面図。
【図６】第１実施形態におけるアタッチメントの構成例を示す上面図。
【図７】第１実施形態におけるアタッチメントの構成例を示す前後方向縦断面図であって、（１）保持部を閉じた状態、（２）保持部を開いた状態を示す図。
【図８】機器保持プレートの正面図であって、（１）スマートフォン未装着状態、（２）装着状態を示す図。
【図９】電線部の構成例を示す部分図。
【図１０】第１実施形態におけるリモートタッチ回路の回路図。
【図１１】アタッチメントの変形例を示す図。
【図１２】仮想ボタン位置設定処理の流れを説明するためのフローチャート。
【図１３】アタッチメントの変形例の外観図。
【考案を実施するための形態】
【００２１】
〔第１実施形態〕
本考案を適用した実施形態として、タッチパネルを備えたスマートフォンを装着して３次元立体映像を楽しむためのステレオスコープ用品アタッチメント（以下、本実施形態では単に「アタッチメント」と呼ぶ）と、そのアタッチメントを支持する手指でもって、遠隔的にタッチパネルへの操作入力を可能とするためのリモートタッチ回路とを例に挙げて説明する。なお、ここで述べる「遠隔」の意味は、離れていることを指す意味であって、距離を規定するものではない。
【００２２】
図１は、第１実施形態におけるアタッチメント前方斜め上から見た斜視外観図である。
アタッチメント２は、２本の略筒状体が左右一体に連結された構造体であって、前端に開閉式の保持部４を備え、後端に左右の接眼部７（図６参照）を備える。ユーザは、スマートフォン１５００のタッチパネルを接眼部７の方に向けた姿勢で保持部４の内側に装着して閉じる。スマートフォン１５００のタッチパネルには、左右に３次元立体視用の左眼用画面と右眼用画面が表示されるので、ユーザは、アタッチメント２を双眼鏡を使うようにして把持し、接眼部７を両目に当てて中を覗くと３次元立体映像を楽しむことができる。スマートフォン１５００は、アタッチメント２の内部に収容された格好になるので、そのままでは外部からタッチパネルへの操作入力ができないが、本実施形態のアタッチメント２は、当該アタッチメントを把持する手指を用いて外部からタッチパネルへの遠隔操作入力を可能にするリモートタッチ回路を搭載する。
【００２３】
では、具体的な各要素について順次説明する。
図２は、スマートフォン１５００の構成例を示す正面外観図である。スマートフォン１５００は、静電容量式タッチパネルを備えたコンピュータであり電子機器である。具体的には、ホームキー１５０４と、画像表示デバイス兼接触位置入力デバイスとして機能するタッチパネル１５０６と、スピーカ１５１０と、マイク１５１２と、制御基板１５５０と、コンピュータ読み出し可能な情報記憶媒体であるメモリカード１５４０からデータを読み書きできるメモリカード読取装置１５４２と、を備える。その他、図示されていない内蔵バッテリーや電源ボタン、音量調節ボタン等が設けられている。
【００２４】
タッチパネル１５０６は、投影型の静電容量式タッチパネルである。すなわち、ユーザがタッチすることにより人体（接触物）をインピーダンス付与体（コンデンサ等の容量）として作用させる。タッチパネル１５０６の四隅には同相・同電位の交流が印加されるが、タッチパネル１５０６に手指等が接触すると、人体のインピーダンスに応じた電流に変化する。そして、四隅で検出される電流の比から、タッチパネル１５０６の座標系における接触座標を算出できる。つまり、人体は実質的にインピーダンスを変化させるインピーダンス付与体と見なすことができる。尚、こうした接触位置の算出方法は、適宜公知技術を利用することができるので、本明細書では説明を省略する。
【００２５】
制御基板１５５０は、ＣＰＵ（Central Processing Unit）１５５１やＧＰＵ（Graphics Processing Unit）、ＤＳＰ（Digital Signal Processor）などの各種マイクロプロセッサ、ＡＳＩＣ（Application Specific Integrated Circuit）、ＶＲＡＭやＲＡＭ，ＲＯＭ等の各種ＩＣメモリ１５５２を搭載する。
そして、制御基板１５５０には、携帯電話基地局や無線ＬＡＮ基地局などと無線接続するための無線通信モジュール１５５３が搭載されているほか、タッチパネル１５０６のドライバ回路、ホームキー１５０４からの信号を受信する回路、スピーカ１５１０へ音声信号を出力する出力アンプ回路、マイク１５１２で集音した音声の信号を生成する入力信号生成回路、メモリカード読取装置１５４２への信号入出力回路といった所謂Ｉ／Ｆ回路（インターフェース回路）、等が搭載されている。これら制御基板１５５０に搭載されている各要素は、それぞれバス回路などを介して電気的に接続され、データの読み書きや信号の送受信が可能に接続されている。
【００２６】
制御基板１５５０は、インターネット等を介して外部サーバから取得した３次元立体映像生成プログラムやデータをＩＣメモリ１５５２に一時記憶する。そして、当該プログラムを実行して演算処理を実行し、ホームキー１５０４や、タッチパネル１５０６からの操作入力に応じて各部を制御して、３次元立体視映像の表示を実行する。尚、本実施形態では、必要なプログラムや各種設定データは、別途入手したメモリカード１５４０から読み出す構成としても良い。
【００２７】
図３は、３次元立体視映像の表示画面例を示す図である。スマートフォン１５００は左右横倒しにして保持部４に装着される。タッチパネル１５０６の画面には、上部表示エリアＷ２と、下部表示エリアＷ４とが設定され、更にこれらの表示エリアの間に操作入力エリアＷ３が設定される。
上部表示エリアＷ２と下部表示エリアＷ４は、スマートフォン１５００をアタッチメント２に装着した場合、アタッチメント２の右側・左側となる。したがって、スマートフォン１５００の制御基板１５５０は、前者に右目用画面を表示し、後者に左目用画面を表示するように制御する。
【００２８】
操作入力エリアＷ３には何も表示されないが、当該エリア内における静電容量の変化が操作入力とみなされる。本実施形態では、操作入力エリアＷ３は更に（スマートフォン１５００にとっての）左右方向に４カ所の仮想ボタン位置Ｗ３１〜Ｗ３４が設定されており、少なくとも４種の操作入力が可能になっている。
【００２９】
次に、アタッチメント２の構成について説明する。
図４は、アタッチメント２の構成例を示す正面図であって、（１）保持部４を閉じた状態、（２）保持部４を開いた状態を示す。
図５は、アタッチメント２の構成例を示す側面図である。
図６は、アタッチメント２の構成例を示す上面図である。
図７は、アタッチメント２の構成例を示す前後方向縦断面図であって、（１）保持部４を閉じた状態、（２）保持部４を開いた状態を示す。
【００３０】
図４〜図７に示すように、アタッチメント２は、中空のアタッチメント本体８の前端上部にヒンジ１０を備え、当該ヒンジで保持部４を揺動自在に支持する。保持部４を開いてスマートフォン１５００をアタッチメント２へ着脱し、保持部４を閉じてステレオスコープとして使用する。尚、保持部４の下端とアタッチメント本体８との下端の合わせ面にはマグネット対１４が埋め込まれており、保持部４を閉じると引きつけ合って、保持部４を閉じた状態に維持する。
【００３１】
図７に示すように、保持部４は、カバー部４２と、機器保持プレート４４と、これらの相対位置を調整可能にするプレート位置調整機構５０と、保持側アース回路部４８とを備える。
【００３２】
カバー部４２は、保持部４を閉じたときにアタッチメント２に一体的な外装を構成する部材であって、アタッチメント本体８の前方を閉じる蓋に相当する。カバー部４２は、内側（アタッチメント本体８との合わせ面側）に凹部４３を備える。凹部４３は、縦横いずれの方向にも幅広な機器保持プレート４４を収容可能な凹空間である。
【００３３】
図８は、機器保持プレート４４の正面図であって、（１）スマートフォン１５００の未装着状態、（２）装着状態を示している。
機器保持プレート４４は、スマートフォン１５００を固定する板材であって、導電性又は静電気拡散性を有した材料で作られる。内面側（保持部４を閉じたときアタッチメント本体８側を向く面）の四隅にビス孔群４４ａを備える。このビス孔群４４ａには、それぞれスマートフォン１５００の四隅と係合する留具４５がビス４６で取り付け位置可変に取り付けられる。
【００３４】
留具４５は、軟質弾性樹脂で形成されており、スマートフォン１５００の取り付けの際には、スマートフォン１５００を押し込む力で適当に弾性変形し、４つの留具４５の中央にスマートフォン１５００が収まると、弾性変形が戻ってスマートフォン１５００の四隅と係合して脱落を防止する。
【００３５】
図４（１）及び図７に示すように、プレート位置調整機構５０は、調整ビス５２と、カバー部４２の中央に設けられた十字状のスリット５４と、機器保持プレート４４の外面側に設けられた調整ビスネジ穴５６とでもって構成される。すなわち、機器保持プレート４４をカバー部４２の凹部４３に収容し、カバー部４２の外側からスリット５４を通じて調整ビス５２を調整ビスネジ穴５６に螺合させると、カバー部４２と機器保持プレート４４とが、凹部４３の底面と機器保持プレート４４の外側面とが当接し固定される。調整ビス５２を緩め、機器保持プレート４４を凹部４３内でずらし、再び調整ビス５２を締め込むことで、カバー部４２と機器保持プレート４４との相対位置を調整することができる。すなわち、プレート位置調整機構５０は、スマートフォン１５００とアタッチメント本体８との相対位置を調整することができる。
【００３６】
保持側アース回路部４８は、凹部４３の内面側に貼設された静電気拡散膜であって、その先端は保持部４とアタッチメント本体８との合わせ面まで伸びている。保持側アース回路部４８は、機器保持プレート４４をカバー部４２に固定している限りにおいて、機器保持プレート４４の外側面と当接し、機器保持プレート４４を介してスマートフォン１５００の本体からの静電気を伝えることができる。
【００３７】
アタッチメント本体８の左右中央には隔壁１２が設けられており、右接眼部７Ｒに通ずる筒部と、左接眼部７Ｌに通ずる筒部とを区成している。スマートフォン１５００は、保持部４を閉じたときに、操作入力エリアＷ３がちょうど隔壁１２の前端部と対面する位置となるように、保持部４に支持・固定される。
【００３８】
そして、アタッチメント本体８は、リモートタッチ回路７０と、アタッチメント本体側アース回路８０とを備える。
リモートタッチ回路７０は、電線部７２と、導電パッド７６と、ボタン部７７とを備える。
【００３９】
図９は、電線部７２の構成例を示す部分拡大図であって、隔壁１２の前端部を正面から見た状態を示している。電線部７２は、帯電防止材で形成され湾曲性に優れたフレキシブルシート７３に、導電性又は静電気拡散性の材料で形成され導電ライン７４がシールされている。
【００４０】
導電ライン７４は、少なくともスマートフォン１５００の仮想ボタン位置と同数設けられており、その一端側は隔壁１２の正面側（保持部４を閉じたときスマートフォン１５００と対面する側）に取り付けられている。導電ライン７４の一端側は拡幅部７５を形成し、保持部４側がフレキシブルシート７３の外に露出している。この拡幅部７５の露出面には、導電パッド７６が着脱自在に貼設される。
【００４１】
図９中の吹き出し部内は、導電パッド７６の（１）縦断面図、（２）下面（貼り付け面側）を示す図である。導電パッド７６は、保持部４を閉じると、保持部４に保持されたスマートフォン１５００のタッチパネル１５０６に設定される仮想ボタン位置Ｗ３１〜Ｗ３４に当接する。本実施形態の導電パッド７６は、円板状のパッドであって、両端面に露出する導電性のコア部７６ａと、拡幅部７５との当接側端部外周に設けられた粘着部７６ｂとを備える。粘着部７６ｂは、フレキシブルシート７３及び導電ライン７４に対して粘着取り外し・再粘着可能な弾性樹脂である。すなわち、導電パッド７６は、導電ライン７４の拡幅部７３に対して取り付け位置可変であり、これらは導電パッド７６がタッチパネル１５０６へ当接する位置を調節する位置調節機構として機能する（図９中の７６（up）〜７６（down）の範囲で調整可）。
【００４２】
さて、電線部７２は、図４（２）及び図７に示すように、隔壁１２からアタッチメント本体８の上部へかけて敷設され、その他端はアタッチメント本体８の把持部９に到達する。そして、電線部７２の各導電ライン７４は、把持部９に設けられたボタン部７７の何れかに接続されている。尚、把持部９は非導電性で帯電防止材料で形成されている。
【００４３】
ボタン部７７は、導電性の材料で形成されたボタン本体７８と、当該ボタン本体の側面で連結する弾性樹脂性のカップ部７９とを備える。
カップ部７９によりボタン本体７８は、導電ライン７４の露出部の直上に浮いた状態で指示されている。ユーザが手指でボタン部７７を押し込むと、カップ部７９が弾性変形して沈み、ボタン本体７８の下面が導電ライン７４と接触する。すなわち、インピーダンス付与体である人体を電線部７２と電気的に接続させることができる。ユーザが手指にかけた力を抜くと、カップ部７９は復元し、ボタン部７７と導電ライン７４との接触は解除される。
【００４４】
また、図４（２）及び図７に示すように、アタッチメント本体側アース回路８０は、スプリング接続端子８２と、アタッチメント本体８の下部に設けられたアースシート部８４と、これら両者を静電気伝導可能につなぐアース線８６とを備える。
【００４５】
スプリング接続端子８２は、先端部を弾性的に進出可能な端子であって、保持部４を閉じたときに保持部４とアタッチメント本体８との合わせ面まで伸びている保持側アース回路部４８と電気的に接続する。
【００４６】
アースシート部８４は、導電性の材料のシート材（又は塗膜）であって、ユーザがアタッチメント本体８を把持した時に手や手指と当接する部位に設けられる。本実施形態では、アタッチメント２は双眼鏡を持つ要領でアタッチメント本体８の上面にある把持部９に人差し指から小指までを添え、アタッチメント本体８の下面に親指を添えて把持することが想定されているので、アースシート部８４は、アタッチメント本体８の下面に設けられている。
【００４７】
図１０は、本実施形態におけるリモートタッチ回路７０の回路図である。
保持部４を閉じた状態では、スマートフォン１５００の本体は、機器保持プレート４４〜保持側アース回路４８〜アタッチメント本体側アース回路８０を通じてユーザの人体に電気伝導可能に接続されアースされる。一方、保持部４を閉じると、隔壁１２の正面側に突設された状態の導電パッド７６が、タッチパネル１５０６と当接する。
【００４８】
ユーザが手指Ｆ１でボタン部７７を押し込むと、タッチパネル１５０６は、導電パッド７５〜電線部７２〜ボタン部７７を通じてとユーザの手指と電気伝導可能に接続される。つまり、実質的にユーザの手指（人体）によるインピーダンス（コンデンサ等の容量）がタッチパネル１５０６と電気的に接続される。よって、タッチパネル１５０６は、このインピーダンスに応じた電流値を検出して、仮想ボタン位置Ｗ３１〜Ｗ３４にてタッチ操作されたと認識することができるようになる。
【００４９】
以上、本実施形態によれば、タッチパネル１５０６へ遠隔タッチ操作を実現するリモートタッチ回路を実現するとともに、タッチパネル１５０６を搭載したスマートフォン１５００を内蔵しつつも外部から遠隔タッチ操作を可能にするアタッチメント２を実現することができる。
【００５０】
しかも、スマートフォン１５００の機種が異なり、外形や仮想ボタン位置Ｗ３１〜Ｗ３４の設定位置に違いが生じたとしても、プレート位置調整機構５０や、導電パッド７６の貼り付け位置の調整で対応することができる。
【００５１】
〔変形例〕
以上、本考案を適用した実施形態について説明したが、本考案の形態がこれに限定されるものではなく、適宜構成要素の追加・省略・変更を施すことができる。
【００５２】
［第１変形例］
例えば、ボタン部７７を、人体というインピーダンス付与体とリモートタッチ回路７０に接続する機能を果たしていたが、人体に変えて容量素子に接続させる構成とすることができる。例えば、図１１に示すアタッチメント２Ｂのように、容量素子１１を内蔵する。容量素子１１の一方の端子をアタッチメント本体側アース回路８０に接続し、他方の端子をボタン部７７に接続する。そして、ボタン部７７を、押し込み操作されたときに、この容量素子１１の他端の端子を導電ライン７４に接続するように構成することができる。この場合、ユーザが手袋などをしていてボタン部７７とユーザとの間のコンデンサの形成が適切に形成されない状態でも、タッチパネル１５０６への遠隔操作を実現できる。
【００５３】
［第２変形例］
また、上記実施形態では、スマートフォン１５００の機種違いをアタッチメント２の構成により吸収可能としているが、スマートフォン１５００側で対応する構成としても良い。例えばスマートフォン１５００が実行する３次元立体視映像生成プログラムが、スマートフォン１５００に、映像生成を開始する前の初期化作業の一つとして、ユーザへボタン部７７への操作を促し、当該操作により検出されるタッチ位置に応じて、仮想ボタン位置を調整・設定する仮想ボタン位置設定機能を実現させると良い。
【００５４】
具体的には、図１２に示すような、仮想ボタン位置設定処理を実行する。すなわち、スマートフォン１５００の制御基板１５５０は、タッチパネル１５０６に、ボタン部７７を全て同時に（あるいは所定の合図に応じて順次）、操作するように促す表示を行う操作案内ステップ（ステップＳ２）を実行し、タッチ位置の検出を実行するタッチ位置検出ステップ（ステップＳ４）を実行する。そして、当該ステップにより検出されたタッチ位置を制御基板１５５０のＩＣメモリ１５５２に仮想ボタン位置基準座標として記憶・設定する仮想ボタン位置設定ステップ（ステップＳ６）を実行する。仮想ボタンを複数用意する場合には、タッチ位置の相対位置関係に応じて振り分けをするものとする。そして、制御基板１５５０は、３次元立体視映像の生成処理中、仮想ボタン位置基準座標から所定範囲内でタッチ位置が検出された場合、対応する仮想ボタンが操作入力されたものと見なして制御すると良い。
【００５５】
［第３変形例］
また、アタッチメントの形態はステレオスコープ用品に限らず、スマートフォン１５００に相当するタッチパネルを搭載したコンピュータに装着する形態であれば、その他の用品形態であっても良い。
例えば、図１３に示すアタッチメント２Ｃに示すように、家庭用ゲーム装置に付属するゲームコントローラ型とし、操作ボタン９２及び方向入力キー９４を備える。そして、スマートフォン１５００で２次元映像によるビデオゲームを実行する構成とすることができる。
【００５６】
この構成では、操作ボタン９２及び方向入力キー９４が第１実施形態におけるボタン部７７に相当する。操作ボタン９２及び方向入力キー９４の各スイッチに接続する電線部７２Ｒ，７２Ｌや、保持部４Ｃの保持板４１を備えて設ける。保持板４１は、アタッチメント本体８にヒンジ１０で揺動自在に支持され、スマートフォン５００のタッチパネル１５０６の一部を覆って固定することができる。保持板４１のタッチパネル１５０６との体面側には、上記実施形態と同様に導電パッド７６でタッチパネル１５０６に当接させる。
【００５７】
［その他の変形例］
また、上記実施形態におけるスマートフォン１５００は、タッチパネル１５０６を備えるその他のコンピュータ、電子機器に適宜置き換えることができる。
また、リモートタッチ回路７０の終端をボタン部７７としたが、ボタン以外の入力デバイス（例えば、十字状の方向入力キー、ジョイスティックなど）の構成としても良い。
また、タッチパネル１５０６の感度によっては、機器保持プレート４４〜保持側アース回路４８〜アタッチメント本体側アース回路８０のアース用の回路を省略することができるのは勿論である。
【符号の説明】
【００５８】
２，２Ｂ，２Ｃ…アタッチメント
４…保持部
８…アタッチメント本体
９…把持部
１２…隔壁
４２…カバー部
４４…機器保持プレート
４８…保持側アース回路部
５０…プレート位置調整機構
７０…リモートタッチ回路
７２…電線部
７６…導電パッド
７７…ボタン部
８０…アタッチメント本体側アース回路
１５００…スマートフォン
１５０６…タッチパネル
１５４０…メモリカード
１５４２…メモリカード読取装置
１５５０…制御基板
１５５２…ＩＣメモリ
１５５３…無線通信モジュール
Ｗ２…上部表示エリア
Ｗ３…操作入力エリア
Ｗ３１〜Ｗ３４…仮想ボタン位置
Ｗ４…下部表示エリア
【図１】
0003176588.tif 000003
【図２】
0003176588.tif 000004
【図３】
0003176588.tif 000005
【図４】
0003176588.tif 000006
【図５】
0003176588.tif 000007
【図６】
0003176588.tif 000008
【図７】
0003176588.tif 000009
【図８】
0003176588.tif 000010
【図９】
0003176588.tif 000011
【図１０】
0003176588.tif 000012
【図１１】
0003176588.tif 000013
【図１２】
0003176588.tif 000014
【図１３】
0003176588.tif 000015